(57)【要約】  眼鏡フレーム（１００）の正面部（１０１）に眼鏡フレーム（１００）の横方向サイドアーム（１０２）を結合するように設計されたタイプの眼鏡フレーム（１００）用の結合ヒンジ（１）であって、眼鏡フレーム（１００）の正面部（１０１）の横方向側面上に、カンチレバー状にかつ堅固な方法で固定されるように構成されたカップ形状ボディ（２）であって、それは、実質的に円筒形状の中央キャビティ（３）と、中央キャビティ（３）の基準軸線（Ｃ）に対して局所的に実質的に垂直なまま、カップ形状のボディ（２）の横方向側面に沿って伸長する横方向の長方形の貫通スロットまたはカット（５）を有し、中央キャビティ（３）に達するまでカップ形状ボディ（２）内を貫通し、カップ形状ボディ（２）の中央キャビティ（３）と実質的に相補的な円筒形状を有する中央ピン（４）であって、カップ形状ボディ（２）の中央キャビティ（３）内で軸線方向に回転可能な方法で挿入されている、中央ピン（４）と、中央ピン（４）のボディに堅固に固定された端部（６ａ）を有する横方向ロックプラグ（６）であって、カップ形状ボディ（２）の横方向側面上に存在する貫通スロットまたはカット（５）と貫通および摺動して係合し、カップ形状ボディ（２）からカンチレバー状に突出するように構成され、眼鏡の横方向サイドフレーム（１０２）の近位端上に堅固に固定または組み込まれるように構成される、横方向ロックプラグ（６）と、を有することを特徴とする結合ヒンジ。
2016517969.tif 000002
【特許請求の範囲】
【請求項１】
眼鏡フレーム（１００）の正面部（１０１）に前記眼鏡フレーム（１００）の横方向サイドアーム（１０２）を結合するように設計されたタイプの眼鏡フレーム（１００）用の結合ヒンジ（１）であって、
前記眼鏡フレーム（１００）の前記正面部（１０１）の横方向側面上に、カンチレバー状にかつ堅固な方法で固定されるように構成されたカップ形状ボディ（２）であって、それは、実質的に円筒形状の中央キャビティ（３）と、前記中央キャビティ（３）の基準軸線（Ｃ）に対して局所的に実質的に垂直なまま、カップ形状のボディ（２）の横方向側面に沿って伸長する横方向の長方形の貫通スロットまたはカット（５）を有し、前記中央キャビティ（３）に達するまで前記カップ形状ボディ（２）内を貫通し、
前記カップ形状ボディ（２）の前記中央キャビティ（３）と実質的に相補的な円筒形状を有する中央ピン（４）であって、前記カップ形状ボディ（２）の中央キャビティ（３）内で軸線方向に回転可能な方法で挿入されている、中央ピン（４）と、
前記中央ピン（４）のボディに堅固に固定された端部（６ａ）を有する横方向ロックプラグ（６）であって、前記カップ形状ボディ（２）の横方向側面上に存在する前記貫通スロットまたはカット（５）と貫通および摺動して係合し、前記カップ形状ボディ（２）からカンチレバー状に突出するように構成され、前記眼鏡の横方向サイドフレーム（１０２）の近位端上に堅固に固定または組み込まれるように構成される、横方向ロックプラグ（６）と、
を備えることを特徴とする結合ヒンジ。
【請求項２】
前記カップ形状ボディ（２）は、前記中央キャビティ（３）の前記横方向側面上で互いに角度方向に離隔されて実現された一つ以上の横方向くぼみまたはリセス（７）を有し、前記ヒンジは、前記中央ピン（４）内に配置されたボルトロック手段（８）を有し、前記中央キャビティ（３）の前記円筒横方向面上に存在する前記横方向くぼみまたはリセス（７）のいずれかひとつと係合または駆動するように前記中央ピン（４）の前記ボディから弾性的に突出するように構成され、前記中央キャビティ（３）内での前記ピン（４）の回転を防止することができる、ことを特徴とする請求項１に記載の結合ヒンジ。
【請求項３】
前記カップ形状ボディ（２）は、約９０°に等しい角度だけ前記中央キャビティ（３）の基準軸線（Ｃ）の回りに角度方向に離隔された中央キャビティ（３）の横方向円筒面上に実現された少なくとも２つの横方向くぼみまたはリセス（７）を有する、ことを特徴とする請求項２に記載の結合ヒンジ。
【請求項４】
前記中央ピン（４）は、前記中央キャビティ（３）の基準軸線（Ｃ）に対して局所的に実質的に垂直なままで、前記中央ピン（４）のボディを通じて伸長する直径孔（９）を有し、前記横方向ロックプラグ（６）の端部（６ａ）は前記直径孔（９）内に挿入されかつ堅固にロックされるように構成されている、ことを特徴とする請求項１から３のいずれか一項に記載の結合ヒンジ。
【請求項５】
前記中央ピン（４）の前記直径孔（９）は、直径貫通孔（９）であり、前記横方向ロックプラグ（６）の前記端部（６ａ）は、前記中央ピン（４）の前記直径貫通孔（９）の第１端部内に挿入されかつ堅固にロックされるように構成され、ボルトロック手段（８）が前記中央ピン（４）の前記直径貫通孔（９）内に配置され、前記直径貫通孔（９）の第２端部を通じて前記中央ピン（４）のボディから突出するように構成されている、ことを特徴とする請求項４に記載の結合ヒンジ。
【請求項６】
前記ボルトロック手段（８）は、
前記直径貫通孔（９）内を軸線方向に移動可能な前記中央ピン（４）の前記直径貫通孔（９）内に配置された移動歯止め（１０）であって、前記直径貫通孔（９）の前記２つの端部のひとつを通じて、前記中央ピン（４）の外側に突出することができように、かつ、前記中央キャビティ（３）の前記円筒横方向面上に存在する前記横方向くぼみまたはリセス（７）のいずれかひとつと係合または駆動することができるように構成された移動歯止め（１０）と、
前記移動歯止め（１０）と前記横方向ロックピン（６）の前記端部（６ａ）との間に挿入された弾性エレメント（１１）であって、前記横方向ロックプラグ（６）の前記端部（６ａ）を占有せずに、前記直径貫通孔（９）の開口を通じて、前記中央ピン（４）の外側へ弾性的に前記移動歯止め（１０）を押し出すように構成された弾性エレメント（１１）と、
を有することを特徴とする請求項５に記載の結合ヒンジ。
【請求項７】
前記カップ形状ボディ（２）の横方向側面上に作成された前記貫通スロットまたはカット（５）は、９０°より大きい開口角を有する、ことを特徴とする請求項１から６のいずれか一項に記載の結合ヒンジ。
【請求項８】
前記カップ形状ボディ（２）は、前記眼鏡フレーム（１００）の前記正面部（１０２）の横方向側面に対して、組み込まれるかまたは堅固に固定されるように形成された突出した尾部（２ａ）を有する、ことを特徴とする請求項１から７のいずれか一項に記載の結合ヒンジ。
【請求項９】
前記カップ形状ボディ（２）は、中央円形断面貫通孔（３）を有する円筒ブッシング（２１）と、前記円筒ブッシング（２１）の基準軸線（Ｃ）に対して実質的に半径方向でかつ局所的に実質的に同一面の方向で、カンチレバー状に突出する板状ウイングレット（２２）を有し、前記眼鏡フレーム（１００）の正面部（１０１）の横方向側面に埋め込め込まれるか、および／または、堅固に固定されるように形成される、ことを特徴とする請求項８に記載の結合ヒンジ。
【請求項１０】
前記円筒ブッシング（２１）の前記中央貫通孔（３）は、互いに対して減少する公称直径を有する３つの連続セグメントに分割される、ことを特徴とする請求項９に記載の結合ヒンジ。
【請求項１１】
前記円筒ブッシング（２１）は、金属材料から形成され、板状ウイングレット（２２）とともに一体として形成される、ことを特徴とする請求項９または１０に記載の結合ヒンジ。
【請求項１２】
前記カップ形状ボディ（２）は、金属材料射出成形プロセスによって、金属材料から形成される、ことを特徴とする請求項１から１１のいずれか一項に記載の結合ヒンジ。
【請求項１３】
前記中央ピン（４）は、前記円筒ブッシング（２１）の前記中央キャビティ（３）と相補的形状を有する円筒ボディ（４）を有し、より大きい直径を有する開口を通じて前記円筒ブッシングの前記中央キャビティ（３）内に挿入可能となり、前記円筒ボディ（４）の前記長手軸線（Ｃ）に対して局所的に実質的に垂直のままで、左右に前記円筒ボディ（４）の中央の前記セグメントと交差する円形断面の直径貫通孔（９）を有する、ことを特徴とする請求項１０に記載の結合ヒンジ。
【請求項１４】
前記中央ピン（４）は、金属射出成形プロセスによって、金属材料から形成されている、ことを特徴とする請求項１から１３のいずれか一項に記載の結合ヒンジ。
【請求項１５】
目の高さで、鼻をまたいで配置されるように設計された眼鏡フレーム（１００）であって、
レンズを直接収容／支持することができるように構成された正面部（１０１）と、
前記正面部の反対側において、前記眼鏡フレームの前記正面部（１０１）にヒンジ結合される２つの横方向サイドアーム（１０２）と、
を備え、
前記２つの横方向サイドフレーム（１０２）の少なくともひとつは、請求項１から１４のいずれか一項に記載の結合ヒンジ（１）によって前記眼鏡フレームの前記正面部（１０１）に固定される、ことを特徴とする眼鏡フレーム。
【発明の詳細な説明】
【技術分野】
【０００１】
本願発明は、眼鏡フレームヒンジ、および、当該ヒンジを備える眼鏡フレームに関する。
【０００２】
より詳細には、本願発明は、プラスチックおよび／または金属材料から作成される眼鏡またはサングラスフレームヒンジに関し、以下で、一般性を失うことなく議論される。
【背景技術】
【０００３】
周知のように、眼鏡は、透明材料から形成される一対のレンズ、および、通称、眼鏡フレームと呼ばれる、支持フレームからなる光学デバイスである。それは、レンズを安定して保持するように構成されており、ユーザが眼鏡をかけた際には、上述したレンズをユーザの目の正面に配置するものである。
【０００４】
通常、眼鏡フレームは、２つのレンズを目の高さで支持し、鼻にまたがって配置されるように構成された正面部分、および、眼鏡フレームの正面からカンチレバー状に突起する横方向に伸びる２本のサイドアームによって形成される。サイドアームは、その対向する側面において、局所的に平行のままで離隔され、正面部分の面に対して実質的に垂直であり、眼鏡をかける人の耳にかけることが可能となり、正面部分の横方向の安定性を与えている。
【０００５】
より詳細には、横方向サイドアームの各々は、金属材料の結合ヒンジによって眼鏡フレームの正面部分にしばしば固定される。それにより、サイドアームは、サイドアームの長手方向軸線に局所的に実質的に垂直で、かつ、眼鏡フレームの正面部分の設置面に実質的に平行である基準軸線の回りに正面部分に関して回転することができる。２つのサイドアームの回転軸線もまた、実質的には局所的に平行で、互いに対向している。
【０００６】
特に、各結合ヒンジは、金属材料の２つのアンカーエレメントから構成される。ひとつは、眼鏡フレームの正面部分の横方向側面上にあって堅固に固定され、もうひとつはサイドフレームの近位端上にあって堅固に固定されるように構成されている。また、金属材料から形成される結合ピンを有し、それは、２つのアンカーエレメント内に形成される一連の貫通孔を通過し、その内部で軸線方向に回転可能であり、それによって、ピンの長手軸線方向に関して、２つのアンカーエレメントが互いに関して回転することができる。
【０００７】
より詳細には、現在の市場における眼鏡フレームヒンジのほとんどで、結合ピンは、円筒シャンクねじから成り、それは、螺刻されたシャンクエンドを有し、それにより２つのアンカーエレメントのひとつのボディ内部に直接螺合することができる。シャンクの残りの部分は完全にスムースであり、それによって他のアンカーエレメントは結合ピンの回りで自由に回転することができる。
【０００８】
製造するのは非常に簡単かつ経済的であるが、このタイプの眼鏡ヒンジはユーザに対して、結合ピンとして機能するねじを周期的に締めることを要求する。
【０００９】
ねじのシャンクの回りでアンカーエレメントの回転は、実際に、対応するアンカーエレメントからシャンクを完全に取り外すまで、ねじを緩め続けるものであり、これがヒンジの機能に欠点をもたらす。
【発明の概要】
【発明が解決しようとする課題】
【００１０】
したがって、本願発明の目的は、上記した欠点を解消し、廉価に製造可能な眼鏡フレームヒンジを与えることである。
【課題を解決するための手段】
【００１１】
当該目的に従い、本願発明の請求１に記載の、および必須ではないが、好適に従属項のいずれかに記載の眼鏡フレームヒンジが与えられる。
【００１２】
本願発明に従い、請求項１５に記載されるような眼鏡フレームもまた与えられる。
【００１３】
本願発明は、非限定的な例示として添付する図面を参照して詳細に説明される。
【図面の簡単な説明】
【００１４】
【図１】図１は、本願発明の教示にしたがって作成された２つの結合ヒンジを備える眼鏡フレームの斜視図である。
【図２】図２は、図１に示す眼鏡フレームの２つのヒンジのひとつの分解斜視図である。
【図３】図３は、図２に示す結合ヒンジの対応するコンポーネントの斜視図である。
【図４】図４は、図２に示す結合ヒンジの対応するコンポーネントの斜視図である。
【図５】図５は、図２に示す結合ヒンジの断面図である。
【発明を実施するための形態】
【００１５】
図１および図２を参照して、符号１は、全体として、眼鏡のサイドアームを、同眼鏡の眼鏡フレームの正面部分に結合することができるように構成された結合ヒンジを示す。
【００１６】
実際に、眼鏡の眼鏡フレーム１００は、概して、一対の矯正レンズまたは周知のシールドレンズ（図示せず）を並んで収容／支持するように構成された正面部１０１を有する。それは、目の高さで鼻にまたがって配置されるように適合されており、それぞれの目の正面で２つのレンズを配置する。また、正面部１０１の反対側にあって、正面部１０１からカンチレバー状に突出する２つの横方向サイドアーム１０２を有し、当該サイドアームは、実質的に局所的には平行でかつ離隔され、正面部１０１の配置面に対して実質的に垂直のまま、眼鏡フレーム１００をかける人の耳に配置され、正面部１０１に対して横方向の安定性をもたらす。
【００１７】
より詳細には、横方向サイドアーム１０２の近位端は、対応する結合ヒンジ１によって眼鏡フレームの正面部１０１に固定され、結合ヒンジは、横方向伸長するサイドアーム１０２が、回転軸線Ａの回りで、眼鏡フレームの正面部１０１に関して自由に回転することができるように、構成されている。その回転軸線Ａは、サイドアームの長手軸線Ｌに対して好適には局所的に実質的に垂直で、かつ、局所的には眼鏡フレーム１０１の正面部の配置面に対して実質的に平行である。２つの結合ヒンジ１もまた、２つの横方向サイドアーム１０２の回転軸線Ａが互いに局所的に実質的に平行であるように、方向付けられる。
【００１８】
言い換えれば、各横方向サイドアーム１０２の各々の近位端は、それぞれの結合ヒンジ１によって眼鏡フレームの正面部１０１の各側面に堅固に固定され、その結果、正面部１０１の配置面に対して局所的に実質的に垂直のまま、眼鏡フレームの正面部１０１から横方向サイドアーム１０２がカンチレバー状に伸長する立った位置（図１参照）と、正面図の配置面に対して局所的に実質的に平行のまま、横方向サイドアーム１０２が眼鏡フレームの正面部１０１に配置されるたたまれた位置との間で、各横方向サイドアーム１０２は、対応する回転軸線Ａの回りに自由に回転することができる。
【００１９】
図１を参照して、図示した例において、特に、眼鏡フレーム１０１の正面部は、鼻にまたがって載置するように構成された中央ブリッジまたはアーチ１０３によって好適に形成される。また、ブリッジ１０３の対向面上に配置された２つの横方向レンズ保持リム１０４を有し、ブリッジ１０３の２つの端部において、ユーザの目の各々とアライメントされ、堅固な構造を形成し、かつ、最終的に、眼鏡の矯正／保護レンズ（図示せず）を安定に保持するように構成されている。
【００２０】
図示する例において、特に、ブリッジ１０３および２つのレンズ保持リム１０４は、好適には、一体型のプラスチック材料で形成されている。これに限定されないが、好適には、射出成形プロセスによって形成される。
【００２１】
図１および２を参照して、図示された例において、２つの横方向サイドアーム１０２は、２つのレンズホルダーリム１０４の外側の側面１０４ａからカンチレバー状に突出し、通称、フレームの“フロントピース”と呼ばれ、上述した外側の側面１０４ａのひとつに対応して配置される２つの結合ヒンジによって眼鏡フレーム１００の正面部１０１に結合されている。
【００２２】
言い換えれば、横方向サイドアーム１０２の各々の近位端は、それぞれの結合ヒンジ１によって対応するレンズホルダーリム１０４の外側面またはフロントピース１０４ａに堅固に固定されている。
【００２３】
また、２つの横方向サイドアーム１０２は、好適には、プラスチック材料によって形成されている。これに限定しないが、射出成形プロセスによって形成される。
【００２４】
図２、３、４および５を参照して、各結合ヒンジ１は本質的に、
実質的に円筒形状の中央キャビティ３を備えるカップ形状ボディ２であって、眼鏡フレーム１００の正面部１０１の横方向側面上で堅固に、カンチレバー状に固定されるように構成され、または、レンズホルダーリム１０４の外側面またはフロントピース１０４ａ上に、サイドアームの回転軸線Ａと局所的には実質的に同軸で固定されるように構成されるカップ形状ボディ２と、
カップ形状ボディ２の中央キャビティ３と、実質的に相補的な円筒形状を有する中央ピン４であって、カップ形状ボディ２の中央キャビティ３内で軸線方向に回転可能なように挿入された中央ピン４と
を有する。
【００２５】
言い換えれば、カップ形状ボディ２が眼鏡フレーム１００の正面部１０１の側面またはレンズホルダーリム１０４の外側面またはフロントピースに対して一体であるとき、カップ形状ボディ２の中央キャビティ３の基準軸線Ｃがサイドアームの回転軸線Ａと同軸である。
【００２６】
より詳細には、図示した例において、カップ形状ボディ２は、好適には、眼鏡フレーム１００の正面部１０１の側面に、または、レンズホルダーリム１０４の外側面またはフロントピース１０４ａに対して埋め込まれるか、または、堅固に固定されるように構成された突出した尾部２ａを具備し、サイドアームの回転軸線Ａと局所的に実質的に同軸に中央キャビティ３を配置する。
【００２７】
図２および４を参照して、また、カップ形状ボディ２は、横方向に長方形の、貫通スロットまたはカット５を備える。それは、カップ形状ボディ２の中央キャビティ３の基準軸線Ｃと局所的に実質的に垂直なまま、カップ形状ボディ２の横方向側面に沿って伸長し、基準軸線Ｃに垂直にカップ形状ボディ２内を貫通し、中央キャビティ３に達する。結合ヒンジ１は、横方向に長方形のロックプラグ６を有し、それは、中央ピン４のボディに堅固に固定される一端６ａを有し、カップ形状ボディ２の側面上に存在する貫通スロットまたはカット５と、貫通および摺動して係合して、カップ形状ボディ２からカンチレバー状に突出するように構成され、かつ、横方向サイドアーム１０２の近位端上に堅固に固定されるように構成されている。
【００２８】
より詳細には、横方向のロックプラグ６は好適には、横方向サイドアーム１０２の近位端に埋め込まれ、組み込まれ、または、堅固に固定されるように構成される。
【００２９】
図示された例において、特に、カップ形状ボディ２の側面上に形成された貫通スロットまたはカット５は、好適には９０°より大きい開口角βを有し、これに限定しないが、９５°から１１５°の角度を有する。
【００３０】
上記に加え、図２、３、４、および５を参照して、図示された例において、カップ形状ボディ２は、円筒中央キャビティ３の側面に互いに角度方向に離隔されて作成された好適には一つ以上の横方向くぼみまたはリセス７を具備する。また、結合ヒンジ１は、中央ピン４の内部に包含されたボルトロック機構８を具備し、中央キャビティ３の円筒横側面上に存在するくぼみまたはリセス７のいずれかひとつと係合／駆動することができるように中央ピン４のボディから弾性的に突出するように構成されており、その結果、中央キャビティ３内での中央ピン４の回転が防止される。
【００３１】
より詳細には、図示した例において、カップ形状ボディ２は、好適には、少なくとも２つの横方向くぼみまたはリセス７を備え、該横方向のくぼみまたはリセス７は、好適には、これに限定しないが約９０°に等しい角度だけ基準軸線Ｃの回りで角度方向に離隔された中央キャビティ３の横方向円筒面上に形成されている。
【００３２】
図２，３および５を参照して、中央ピン４は、代わりに、ピンの長手軸に対して局所的に実質的に垂直のまま、すなわち、中央キャビティ３の軸線Ｃと局所的に実質的に垂直のまま、好適に中央ピン４のボディを通じて伸長する直径貫通孔９を備える。
【００３３】
横方向のロックプラグ６の端部６ａは、中央ピン４の直径貫通孔９の第１端の内部で堅固な方法で、取り付けられかつロックされるように構成されている。一方、ボルトロック機構８は中央ピン４の直径貫通孔９内部に収容されており、中央ピン４の直径貫通孔９の第２端部を通じて中央ピン４のボディから突出するように構成されている。
【００３４】
より詳細には、特に、図２および５を参照して、図示した例において、ボルトロック機構８は好適には、
直径貫通孔９の内部で軸方向に移動可能であるように、中央ピン４の直径貫通孔９内に配置された、移動歯止め１０であって、それは、直径貫通孔９の２つの端部のひとつを通じて中央ピン４の外側に突出するように、中央キャビティ３の横方向円筒面上に存在するくぼみまたはリセス７のいずれかひとつと係合／駆動するように構成され、中央キャビティ３内部で中央ピン４の回転を防止するための移動歯止め１０と、
移動歯止め１０とロックプラグ６との間に挿入された弾性エレメント１１であって、ロックプラグ６の端部６ａを占有することなく直径貫通孔９の開口を通じて、中央ピン４の外側に移動歯止め１０を弾性的に押し出すように構成された弾性エレメント１１とを有する。
【００３５】
言い換えれば、横方向ロックプラグ６の端部６ａは、移動歯止め１０に近接して、中央ピン４の直径貫通孔９内に堅固な方法で挿入されかつロックされように構成され、一方、横方向ロックプラグ６の残りの部分は、カップ形状ボディ２の側面上に存在する貫通スロットまたはカット５と貫通および摺動する方法で係合して、カップ形状ボディ３からカンチレバー状に突出するように構成されており、サイドアーム１０２の近位端側面に埋め込まれ、組み込まれまたは堅固に固定される。
【００３６】
図示した例において、特に、カップ形状ボディ２および／または中央ピン４および／またはロックプラグ６および／または移動歯止め１０および／または弾性エレメント１１は、好適には、金属材料から形成される。
【００３７】
図２、３、４、および５を参照して、図示した例において、カップ形状ボディ２は、好適には、基準軸線Ｃと同軸に伸長する円筒形ブッシング２１で形成されており、それは互いに対して減少する公称直径を有する３つの連続セグメントに分割された中央円形断面貫通孔を具備する。円筒形ブッシング２１の基準軸線Ｃに対して実質的に半径方向でかつ局所的に実質的に同一面方向に、円筒形ブッシング２１からカンチレバー状に突出して、板状ウイングレット２２が形成され、それは、眼鏡フレーム１００の正面部１０１の横側面上に埋め込まれ、および／または、堅固に固定されるように構成され、あるいは、レンズホルダーリム１０４の外側面またはフロントピース１０４ａ上に、サイドアームの回転軸線Ａに関して同軸に中央キャビティ３を実質的に配置して構成される。
【００３８】
円筒形ブッシング２１は、長方形の貫通スロットまたはカットを備え、それは、ブッシングの基準軸線Ｃに対して局所的に実質的に垂直なまま、円筒ブッシング２１の横側面に沿って伸長し、円筒形ブッシング２１の中央貫通孔の中央部分に達するまで、基準軸線Ｃに対して直交するブッシング２１のボディの内部を貫通する。また、好適には、円筒ブッシング２１の中央円形断面貫通孔の中央部分の横方向の円筒面に２つの横方向くぼみまたはリセスが形成される。
【００３９】
好適には、円筒形ブッシング２１は金属材料から形成され、板状ウイングレット２２とともに、一体として形成されるのが好ましい。これに限定されないが、ＭＩＭ（メタル・インジェクション・モルディングの略）と通称される金属材料射出成形プロセスによって形成されるのが好ましい。
【００４０】
言い換えれば、カップ形状ボディ２は、通称ＭＩＭと呼ばれる金属材料射出成形プロセスによって、金属材料から形成されるのが好ましい。
【００４１】
中央ピン４は、代わりに、円筒ブッシング２１の中央貫通孔に対して相補的形状を有する金属材料から形成される円筒ボディによって形成されてもよく、より大きな直径を有するポートを通じて円筒ブッシング２１の中央貫通孔の内部に簡単に取り付け可能となる。また、それは、円筒ボディ４の長手軸線に対して局所的に実質的に垂直を保ったまま、一方から他方へ円筒ボディ４の中央セグメントを横断する円形の直径貫通孔を具備し、それは、基準軸線Ｃに対して居所的に実質的に垂直である。
【００４２】
好適には、円筒ボディ４の直径貫通孔は、減少する公称直径を有する２つの連続セグメントに分割され、ロックプラグ６の端部６ａは、より大きい直径を有する直径貫通孔の部分と係合するように適応されている。
【００４３】
好適には、円筒ボディ４、すなわち、中央ピン４は、通称ＭＩＭと呼ばれる金属材料の射出成形方法によって得られる。
【００４４】
図２および５を参照して、図示した例において、移動歯止め１０は、金属材料のボール１０によって構成されるのが好ましい。それは、ロックプラグ６によって係合されず、円筒ボディ４の直径貫通孔９の小さい方のセグメントの直径にほぼ匹敵する直径を有する。
【００４５】
横方向のロックプラグ６は、代わりに、金属材料から形成された円形の直線ロッドまたはシャンク６によって形成されてもよく、それは、カップ形状ボディ２の基準軸線Ｃに対して局所的に実質的に垂直な長手軸線Ｄと同軸に伸長し、円筒ボディ４の直径貫通孔９のより大きい直径を有する部分の内側に螺合するようにネジを備える端部６ａを有する。
【００４６】
弾性エレメント１１は、好適には、これに限定されないが、金属材料から形成された螺旋バネ１１によって構成され、それは、円筒ボディ４の直径貫通孔９内に少なくとも部分的に配置される。第１端が移動歯止め１０またはボール１０と当接し、第２端がロックプラグ６のボディと当接し、弾性的に移動歯止め、すなわち、ボール１０を押し、シャンク６を占有せずに直径貫通孔９のポートを通じて、中央ピン４の外側および中央キャビティ３の横方向円筒面に対して当接させる。
【００４７】
より詳細には、図２および５を参照して、図示した例において、シャンク６の端部６ａは、好適には、円筒形のブラインド孔６ｃを備える。それは、長手軸Ｄに対して同軸のシャンク６のボディ内部を伸長する。螺旋バネ１１は、少なくとも部分的に円筒ブラインド孔６ｃ内に収容され、第２端は円筒ブラインド孔６ｃの底と当接する。
【００４８】
中央ピン４の直径孔９内部に挿入されてロックされるとき、横方向ロックプラグ６が、カップ形状ボディ２からの中央ピンの抽出を妨げず、中央ピン４が、カップ形状ボディ２の横方向側面に形成された貫通スロットまたはカット５の開口角βに対応する最大振幅まで、カップ形状ボディ２に関して自由に回転できることを言及しない限りにおいて、結合ヒンジ１の操作は、上記した説明より容易に理解できるので、その説明は省略する。
【００４９】
特定の結合構造１から導出される利点は、多数にのぼる。
【００５０】
第１に、ヒンジの通常の動作中、ロックプラグ６が、中央ピン４からプラグ６の緩みを生じさせるトルクにさらされることは、もはやない。したがって、コンポーネントを周期的に締め直す必要性は存在しない。
【００５１】
また、ロックプラグ６は、横方向サイドアーム１０２の近位端上に直接配置され、眼鏡フレーム１００の組立作業が大きく単純化される。
【００５２】
最後に、結合ヒンジ１および上記した眼鏡フレーム１００が本願発明の態様から離れることなく修正および変更可能であることは明白である。
【００５３】
例えば、ネジを具備する代わりに、ロッドまたはシャンク６の端部６ａ、すなわち、ロックプラグ６の端部は、直径孔９の開口部で中央ピン４のボディに力、溶接または糊により固定されるように構成されてもよい。その結果、結合ヒンジ１の分解が防止される。 
【図１】
2016517969.tif 000003
【図２】
2016517969.tif 000004
【図３】
2016517969.tif 000005
【図４】
2016517969.tif 000006
【図５】
2016517969.tif 000007
【国際調査報告】
2016517969.tif 000008
2016517969.tif 000009
2016517969.tif 000010